(57)【要約】【課題】冷却ファンによる騒音の低減を図る。【解決手段】負荷鍋１１を誘導加熱する加熱コイル１３と、前記加熱コイル１３に高周波電流を供給するインバータ回路１５と、前記インバータ回路１５を冷却する冷却ファン１８と、ファンの回転数を可変する冷却ファン速度制御手段１９と、前記インバータ回路１５の出力を制御する制御手段１６と、インバータ回路１５の出力により前記負荷鍋１１の種類を判定する鍋種判定手段１７を有し、前記冷却ファン速度制御手段１９は、前記鍋種判定手段１７により得られる鍋種に応じてファン速度を変化させる。よって発熱量の異なる鍋種毎の最適な冷却が可能となるので、機器の冷却を十分維持しながら、冷却ファン１８から発生する騒音が低減され、使用者の快適性を向上させることができる。【選択図】図１
2008117728.tif 000002
【特許請求の範囲】
【請求項１】
鍋を誘導加熱する加熱コイルと、前記加熱コイルに高周波電流を供給するインバータ回路と、前記インバータ回路を冷却する冷却ファンと、前記冷却ファンの回転数を可変する冷却ファン速度制御手段と、前記インバータ回路の出力を制御する制御手段と、前記インバータ回路の出力により前記鍋の種類を判定する鍋種判定手段を有し、前記冷却ファン速度制御手段は、前記鍋種判定手段により得られる鍋種に応じてファン速度を変化させる誘導加熱調理器。
【請求項２】
インバータ回路の出力を制御する制御手段の出力設定に応じて、冷却ファンの回転数を変更する請求項１に記載の誘導加熱調理器。
【請求項３】
インバータ回路の温度を検知するインバータ温度検知手段を備え、冷却ファン速度制御手段は、前記インバータ温度検出手段により検知した温度に応じて冷却ファンの回転数を変えて制御する請求項１または請求項２に記載の誘導加熱調理器。
【請求項４】
加熱コイルの温度を検知する加熱コイル温度検知手段を備え、冷却ファン速度制御手段は、前記加熱コイル温度検出手段により検知した温度に応じて冷却ファンの回転数を変えて制御する請求項１〜３いずれか１項に記載の誘導加熱調理器。
【請求項５】
複数の誘導加熱手段を有し、誘導加熱手段はそれぞれに冷却ファンの回転数の設定を有し、複数の誘導加熱を同時に行なう場合に、冷却ファン速度制御手段は前記設定の中から一番大きな回転数を選んで冷却ファン速度を変化させる請求項１〜４のいずれか１項に記載の誘導加熱調理器。
【請求項６】
複数の冷却ファンと冷却ファン速度制御手段を備え、それぞれの冷却ファン速度制御手段は独立してそれぞれの冷却ファンの回転数を制御する請求項１〜５のいずれか１項に記載の誘導加熱調理器。
【発明の詳細な説明】
【技術分野】
【０００１】
本発明は、調理時の騒音を抑え静音化を図る誘導加熱調理器に関するものである。
【背景技術】
【０００２】
従来、この種の誘導加熱調理器について図４を参照して説明する。加熱調理器の外郭を構成する本体の上部には、トッププレートと吸気部を備えている。また、トッププレートの上面には鍋を誘導加熱する加熱コイル、インバータからなる誘導加熱手段と、ラジェントヒータを加熱する加熱手段とが設けられている。また、吸気部の下方には冷却ファンを備え、冷却ファンの送風方向にはインバータが配されている。さらに、インバータなどの回路ユニットの左側で、加熱コイルの下には加熱庫内にあるロースタヒータを加熱する手段が設けられている。
【０００３】
前記構成において、図４に示すように加熱出力に応じてファン速度が定められており、入力手段１０により設定された加熱出力に応じて前記冷却ファンの回転数が変化する構成とすることにより、機器の冷却を十分維持しながら、冷却ファンの回転数を必要最小限に抑えることができ、騒音を低減できる（例えば、特許文献１参照）。
【特許文献１】特開２００４−４７３０５号公報
【発明の開示】
【発明が解決しようとする課題】
【０００４】
しかしながら、前記従来の構成では、インバータ回路の出力に応じて冷却ファンの回転数を変更し商品の静音化を図ってきた。加熱コイルやインバータ回路の発熱は加熱する負荷により異なり、最悪の負荷を踏まえてインバータ回路の出力に応じた冷却ファンの回転数を決定している。よって、発熱の少ない負荷を加熱している場合には冷却ファンは必要以上の回転数で回転し冷却していることになり、不要な騒音が発生するという課題を有していた。
【０００５】
本発明は、前記従来の課題を解決するもので、鍋種の判定を利用することで加熱コイルやインバータ回路の発熱量を予想し、最適な冷却ファン速度で冷却することで、過冷却により発生する騒音を抑え静音化を図る誘導加熱調理器を提供することを目的とする。
【課題を解決するための手段】
【０００６】
前記従来の課題を解決するために、本発明の誘導加熱調理器は、加熱時の鍋種判定の結果に応じて冷却ファンの回転数を最小限に抑え、騒音を低減することにより快適性を向上させた誘導加熱調理器を提供することとしたものである。
【０００７】
これによって、インバータ回路の出力により鍋の種類を判定する鍋種判定手段を有し、冷却ファン速度制御手段は鍋種判定手段により得られる鍋種に応じてファン速度を変化させることで発熱量の異なる鍋種毎の最適な冷却が可能となるので、機器の冷却を十分維持しながら、冷却ファンから発生する騒音が低減され、使用者の快適性を向上させることができる。
【発明の効果】
【０００８】
本発明にかかる誘導加熱調理器は、インバータ回路の出力により鍋の種類を判定する鍋種判定手段を有し、冷却ファン速度制御手段は鍋種判定手段により得られる鍋種に応じてファン速度を変化させることで発熱量の異なる鍋種毎の最適な冷却が可能となるので、機器の冷却を十分維持しながら、冷却ファンから発生する騒音が低減され、使用者の快適性を向上させることができる。
【発明を実施するための最良の形態】
【０００９】
第１に記載の発明は、鍋を誘導加熱する加熱コイルと、前記加熱コイルに高周波電流を供給するインバータ回路と、前記インバータ回路を冷却する冷却ファンと、ファンの回転数を可変する冷却ファン速度制御手段と、前記インバータ回路の出力を制御する制御手段と、インバータ回路の出力により前記鍋の種類を判定する鍋種判定手段を有し、前記冷却ファン速度制御手段は、前記鍋種判定手段により得られる鍋種に応じてファン速度を変化させる。よって発熱量の異なる鍋種毎の最適な冷却が可能となるので、機器の冷却を十分維持しながら、冷却ファンから発生する騒音が低減され、使用者の快適性を向上させることができる。
【００１０】
第２に記載の発明は、特に第１に記載の鍋種に応じてファンの速度を変化させると共に、インバータ回路の出力を制御する制御手段の出力設定に応じて、冷却ファンの回転数を変化させる。よって出力火力毎の発熱量に応じてファン速度を変化させることが可能となるため、機器の冷却を十分維持しながら、冷却ファンから発生する騒音が低減され、使用者の快適性を向上させることができる。
【００１１】
第３に記載の発明は、特に第１または２に記載の誘導加熱調理器にインバータ回路の温度検出手段を備えることで、インバータ回路が高温状態になった場合に冷却ファンの速度を上げ過加熱による熱破壊が発生するのを防ぐことができる。
【００１２】
第４の発明は、特に第１〜３に記載の誘導加熱調理器に加熱コイルの温度検出手段を備えることで、加熱コイルが高温状態になった場合に冷却ファンの速度を上げ過加熱による熱破壊が発生するのを防ぐことができる。
【００１３】
第５の発明は、特に第１〜４に記載の誘導加熱調理器が複数の誘導加熱手段を有し、誘導加熱手段はそれぞれに冷却ファンの回転数の設定を有し、複数の誘導加熱を同時に行なう場合に、冷却ファン速度制御手段は前記設定の中から一番大きな回転数を選んで冷却ファン速度を変化させる。これにより常に発熱が大きい側に応じて冷却ファンが制御されるので、どのような加熱手段の組み合わせであっても冷却不足により過加熱され熱破壊が発生するのを防ぐことができる。
【００１４】
第６の発明は、特に第１〜５に記載の誘導加熱調理器が複数の冷却ファンと冷却ファン速度制御手段を備え、それぞれの冷却ファン速度制御手段は独立してそれぞれの冷却ファンの回転数を制御する。このことにより加熱コイルやインバータ回路など鍋種により発熱が大きい箇所が違う場合に効率良く冷却することができ、騒音を低減させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態におけるブロック図を示すものである。
【００１７】
図１において、１１は負荷鍋、１２は負荷鍋１１を載置するトッププレート、１３は負荷鍋１１を加熱する加熱コイル、１４は加熱コイル１３から負荷鍋１１への磁束を集中するフェライトで構成されている。１５は加熱コイル１３に高周波電流を供給するインバータ回路、１６はインバータ回路１５の出力を制御する制御手段である。１７はインバータ回路の出力により負荷鍋の種類を判断する鍋種判定手段である。１８はインバータ回路１５を冷却するための冷却ファン、１９は冷却ファン１８の速度を制御する冷却ファン速度制御手段である。
【００１８】
以上のように構成された誘導加熱調理器について、以下その動作、作用を説明する。
【００１９】
まず、加熱を開始するとインバータ回路１５は加熱コイル１３に高周波電流を供給して、負荷鍋１１は加熱コイル１３からの磁束より自己発熱する。このときインバータ回路１５の出力に応じて鍋種判定手段１７は負荷鍋１１の種類を判定し、インバータ制御手段１６は負荷鍋１１の種類に応じてインバータ回路１５の動作を鍋種に適した動作に変化させる。一般的な誘導電磁調理器において鍋種によりインバータ回路の制御方法を変化させることは効率よく負荷鍋を誘導加熱するために重要となっている。
【００２０】
また、加熱を開始すると同時に冷却ファン速度制御手段１９はインバータ回路１５を冷却するために冷却ファン１８を駆動するが、このときのファン速度は鍋主判定手段１７で決定される鍋種によるものとする。例えば、近年では負荷鍋の材質がアルミであっても調理に使用できる誘導加熱調理器が多く使われているが、従来の鉄系の負荷鍋を加熱する場合に比べて加熱コイルに供給する電流の周波数を高くする必要がある。供給する電流の周波数を高くするとインバータ回路での発熱量が増すことから鉄系の鍋を加熱する場合に比べてファン速度を上げる必要がある。
【００２１】
このよう発熱量の異なる鍋種毎の最適な冷却が可能となるので、機器の冷却を十分維持しながら、冷却ファンから発生する騒音が低減され、使用者の快適性を向上させることができる。
【００２２】
（実施の形態２）
図２は、本発明の第２の実施の形態における誘導加熱調理器の構成を示すブロック図である。
【００２３】
本実施の形態の誘導加熱調理器は、インバータ回路１５にインバータ温度検出手段２０を設けた点が実施の形態１と異なるだけで、それ以外の同一構成及び作用効果を表す部分には同一符号を付して詳細な説明を省略し、異なる点を中心に説明する。
【００２４】
上記実施の形態２において、インバータ温度検知手段２０はインバータ回路に取り付けてある。図２においてインバータ回路１５の温度検出手段２０を備えることで、インバータ回路１５が一定以上の高温状態になった場合に冷却ファン１８の速度を上げインバータ回路１５の温度を下げる。この構成によりインバータ回路１５の過加熱による熱破壊が発生するのを防ぐことができる。
【００２５】
（実施の形態３）
図３は、本発明の第３の実施の形態における誘導加熱調理器の構成を示すブロック図である。
【００２６】
本実施の形態の誘導加熱調理器は、第２の冷却ファン２１と第２の冷却ファン速度制御手段２２を設けた点が実施の形態１と異なるだけで、それ以外の同一構成及び作用効果を表す部分には同一符号を付して詳細な説明を省略し、異なる点を中心に説明する。
【００２７】
上記実施の形態３において、それぞれの冷却ファン速度制御手段は独立してそれぞれの冷却ファンの回転数を制御する。このことにより加熱コイル１３やインバータ回路１５などの鍋種により発熱が大きい箇所が違う場合に効率良く冷却することができ、騒音を低減させることができる。
【産業上の利用可能性】
【００２８】
以上のように、本発明にかかる誘導加熱調理器は、インバータ回路の出力により鍋の種類を判定する鍋種判定手段を有し、冷却ファン速度制御手段は鍋種判定手段により得られる鍋種に応じてファン速度を変化させることで発熱量の異なる鍋種毎の最適な冷却が可能となるので、機器の冷却を十分維持しながら、冷却ファンから発生する騒音が低減され、使用者の快適性を向上させることができ、誘導加熱調理器に限られず、他の加熱調理器にも適用できる。
【図面の簡単な説明】
【００２９】
【図１】本発明の実施の形態１における誘導加熱調理器を示すブロック図
【図２】本発明の実施の形態２における誘導加熱調理器を示すブロック図
【図３】本発明の実施の形態３における誘導加熱調理器を示すブロック図
【図４】従来の誘導加熱調理器を示すブロック図
【符号の説明】
【００３０】
１１  負荷鍋
１２  トッププレート
１３  加熱コイル
１４  フェライト
１５  インバータ回路
１６  インバータ制御手段
１７  鍋種判定手段
１８  冷却ファン
１９  冷却ファン速度制御手段
【図１】
2008117728.tif 000003
【図２】
2008117728.tif 000004
【図３】
2008117728.tif 000005
【図４】
2008117728.tif 000006